(57)【要約】      （修正有）【課題】配管口径拡大による水道管内の流速が低下しても、スプリンクラーヘッド取り付け部の水を汚濁させないスプリンクラー継手で、消火能力の高い水道直結スプリンクラーの継手を提供する。【解決手段】水平方向に穿設した入水口２と出水口３の間にバッフル板４を斜め下方向に垂設し、下部に穿設したスプリンクラーヘッド取り付け部７付近で出水口側通水路６と交わる形状を特徴とする。入水口より通水された水流は、斜め下方向に垂設されたバッフル板に衝突し水流方向を変更し、下部に穿設されたスプリンクラーヘッド取り付け部の中心よりやや入水口側寄りへ集約され、一時的に流速が増幅される。流速が増幅された水流は入水口側寄りから進入し、スプリンクラーヘッド取り付け部に満たされる水を押し進みながら、出水口側寄りを通過し、継手内部に進入時に近い流速に戻りながら末端の水栓へと流出するため、水道水が汚濁することはない。【選択図】図１
0003150444.tif 000002
【実用新案登録請求の範囲】
【請求項１】
主体の側端に穿設した入水口と水平方向に穿設した出水口の間にバッフル板を斜め下方向に垂設し、下部に穿設したスプリンクラーヘッド取り付け部付近で出水口側通水路と交わる形状を特徴とする継手。
【考案の詳細な説明】
【技術分野】
【０００１】この考案はスプリンクラー継手に関するものである。
【背景技術】
【０００２】水道管に直結するスプリンクラー消火設備には、スプリンクラーヘッド取り付け部に満たされる水道水（飲用）が停滞、汚濁して不衛生とならぬよう、停滞水防止継手を用いて構築されるものである。
スプリンクラー停滞水防止継手は、継手内部にバッフル板と称する隔壁を垂直に垂設したものがある。
入水口から継手内部を通過する水流は、バッフル板に衝突することにより水流方向を真下に変更し、スプリンクラーヘッド取り付け部に満たされた水を循環させるというものである。
しかし、バッフル板に衝突した水流がスプリンクラーヘッド取り付け部に満たされる水を完全に循環させるには、それなりの流速を得て初めて可能となる。
つまり管末の給水器具から、それなりの吐水量が必要ということである。
現存する停滞水防止継手は口径２０ｍｍ程度と小口径のため、一部の高性能品であれば、日常的な使用状況で想定される吐水量（５ｌ／ｍｉｎ程度〜）でも充分な流速を得やすく、問題視する必要はなかった。
現在は福祉施設等に用いられるが、多数のスプリンクラーヘッドが設置される大広間等では、最大で４か所のスプリンクラーヘッドの放水量、放水圧を確保することが要求されている。
現存する水道直結用のスプリンクラーヘッドは、放水量３０ｌ／ｍｉｎと少水量ではあるが、２０ｍｍ口径の配管で複数（最大４ケ所｛３０×４＝１２０ｌ／ｍｉｎ｝）のスプリンクラーヘッド同時開放等には対応しにくい。
この２０ｍｍ口径の停滞水防止継手を用いて対応するには、日常的に水道配管設計で用いられる、複数の水栓同時使用を考慮した設計方法を応用すればよい。
簡単に述べれば、水道の主管を太くして、複数の２０ｍｍ配管に分岐し、各管末に水栓を取り付ければよいだけのことである。
※［図９］従来技術を用いた配管の参考平面図を参照。
しかしこの手法を用いると、建築物に多数の管末設置する水栓が必要となる。新築工事ならば実用的だが、既設建築物に用いると不要な水栓が増えてしまう。
より大口径の停滞水防止継手があれば、管末設置する水栓数を減少させることが可能となり、消火能力向上及び配管の簡略化によるコストダウンにつながる。
だが従来技術をもって安易に口径拡大すると、日常的な使用状況で想定される吐水量では管内流速の低下とともに、衛生能力が低下してしまうことがわかった。
大口径停滞水防止継手の実用化には、従来技術にもうひとつ新しい技術を加え、能力向上させることが必要である。
【考案の開示】
【考案が解決しようとする課題】
【０００３】本考案者は消火能力向上のため水道配管口径を拡大し、管内流速が低下しても、スプリンクラーヘッド取り付け部の水を汚濁させないスプリンクラー継手を開発する研究を重ねた。
ここで最も配慮したのは、バッフル板の拡大等により、安易に通水路を狭めて流速を増加させようとすると、摩擦損失数値が著しく増大してしまうことだ。
また通水路が極端に狭められると、異物が詰まる危険性やスプリンクラーヘッドが要求する放水量を満たせなくなる危険性さえある。
管口径を拡大しても衛生的な停滞水防止継手を開発し、消火能力の高い水道直結スプリンクラーを実用化することである。
【課題を解決するための手段】
【０００４】本考案は、水道管内の流速が低下してもスプリンクラーヘッド取り付け部付近の水が汚濁しないよう、次の手段をとった。
水平方向に穿設した入水口と出水口の間にバッフル板を斜め下方向に垂設し、下部に穿設したスプリンクラーヘッド取り付け部付近で出水口側通水路と交わる形状の継手。
以上の構成よりなるスプリンクラー継手である。
【考案の効果】
【０００５】本考案の継手は以上の形状により構成されるため、水道配管内に組み込み、末端に設けた水栓を開放すると、継手内部に次のような水流運動が起きる。
水平方向に穿設された入水口より通水された水流は、斜め下方向に垂設されたバッフル板に衝突し水流方向を変更し、下部に穿設されたスプリンクラーヘッド取り付け部の中心よりやや入水口側寄りへ集約され、一時的に流速が増幅される。
流速が増幅された水流はスプリンクラーヘッド取り付け部中心より入水口側寄りから進入し、スプリンクラーヘッド取り付け部に満たされる水を押し進みながら、スプリンクラーヘッド取り付け部中心より出水口側寄りを通過し、継手内部に進入時に近い流速に戻りながら末端の水栓へと流出する。
水道水が汚濁することはない。
バッフル板を斜め下方向に向けることにより、通水路をやたらに狭めることなく擬似的な細い通水路が形成され、一時的に流速が増幅される。摩擦損失数値の著しい増加はない。
この継手は内部で一時的に流速を増幅することにより、衛生能力を向上させている。
この継手は従来技術品よりも効率が高いため、同口径なら管末設置した水栓からの吐水量がより少なくてもスプリンクラーヘッド取り付け部に満たされる水を循環させる能力を有する。
したがって衛生上の問題なく、容易に配管口径を拡大し消火能力を向上させられる。
【考案を実施するための最良の形態】
【０００６】以下、本考案の実施例について説明する。
水道配管の途中に本考案である継手とスプリンクラーヘッドを設置し、管末に水栓等を設ける。管末に設置した水栓を開放すると、本考案である継手の水平方向に穿設された入水口より通水された水流は、斜め下方向に垂設されたバッフル板に衝突し水流方向を変更し、下部に穿設されたスプリンクラーヘッド取り付け部の中心より入水口側寄りへ集約され、流速が増幅される。流速が増幅された水流は、スプリンクラーヘッド取り付け部中心より入水口側寄りから進入し、スプリンクラーヘッド取り付け部に満たされる水を押し進みながら、スプリンクラーヘッド取り付け部中心より出水口側寄りを通過し、継手内部に進入時に近い流速に戻りながら管末の水栓へと流出する。
従って管内の水が汚濁することはない。
水道管内は常時圧力が保持されるため、火災時にスプリンクラーは作動、消火活動を行う。
この継手は従来技術品より効率が高いため、同口径なら管末設置した水栓からの吐水量がより少なくても、スプリンクラーヘッド取り付け部に満たされる水を循環させる能力を有する。
したがって衛生上の問題なく、継手及び水道管口径が拡大可能となる。
【図面の簡単な説明】
【０００７】
【図１】本考案の継手縦断面図
【図２】本考案の継手正面図
【図３】本考案の継手背面図
【図４】本考案の継手側面図
【図５】本考案の継手平面図
【図６】本考案の継手底面図
【図７】本考案の継手の取付配管図
【図８】本考案の大口径継手を用いた配管の参考平面図
【図９】従来技術品を用いた配管の参考平面図
【符号の説明】  １は主体
２は入水口
３は出水口
４はバッフル板
５は入水口側通水路
６は出水口側通水路
７はスプリンクラーヘッド取付部
８スプリンクラーヘッド
９水栓
１０水道管
１１建築物
１２本考案である継手とスプリンクラーヘッド
１３従来技術による継手とスプリンクラーヘッド
【図１】
0003150444.tif 000003
【図２】
0003150444.tif 000004
【図３】
0003150444.tif 000005
【図４】
0003150444.tif 000006
【図５】
0003150444.tif 000007
【図６】
0003150444.tif 000008
【図７】
0003150444.tif 000009
【図８】
0003150444.tif 000010
【図９】
0003150444.tif 000011